(57)【特許請求の範囲】
【請求項１】
建物の開口部に形成された雨戸枠に、少なくとも２枚の内外雨戸が取付けられた開口部外装装置において、
各雨戸の雨戸框には少なくとも１組の複数のスラットが開閉可能に配置されていると共に、
前記雨戸枠は、前記内雨戸が可動できる可動領域と、前記外雨戸が可動できる可動領域と、これら両領域間に前記内雨戸のスラットが全開にした状態でも内外雨戸を引違い可能にする引違領域を設け、且つ、前記引違領域の幅は、雨戸框の表面から、内雨戸のスラットが開いたときの先端部分までの距離と略同一か若干の遊びを加えた寸法とし、
雨戸のスラットを開いた状態で、雨戸を引違い可能に前記雨戸枠に組付けた開口部外装装置であって、
前記複数のスラットを開閉可能に揺動させる揺動機構は、スライド力を回転力に変換させるねじりバーと、該ねじりバーの一端側に取付けられ、且つ、その回転力が伝達される第１の伝達部材と、該第１の伝達部材に取付けられ、且つ、その回転力が伝達されるバー部材と、前記複数のスラットに対応するように、前記バー部材に所定間隔をおいて取付けられ、且つ、そのバー部材の回転力が伝達される第２の伝達部材とからなると共に、
前記ねじりバーは、薄板状の棒材の一端に対する他端の回転角度を所定のねじり角に形成すると共に、前記ねじりバーの両端をそれぞれ回転軸に固定し、これらの回転軸を軸受けに取付けていることを特徴とする開口部外装装置。
【請求項２】
前記雨戸の框面を覆う網目部材が取付可能であることを特徴とする請求項１に記載の開口部外装装置。
【請求項３】
前記雨戸枠は、前記開口部に後付けされていることを特徴とする請求項１又は２に記載の開口部外装装置。
【請求項４】
前記雨戸枠は、前記開口部に一体成形されていることを特徴とする請求項１又は２に記載の開口部外装装置。
【発明の詳細な説明】
【０００１】
【発明の属する技術分野】
この発明は、建物の開口部に配置される開口部外装装置に関する。
【０００２】
【従来の技術】
マンション等の集合住宅の開口部には、現在、二重サッシが組付けられる場合が多くなりつつあるが、通常、雨戸が組付けられることはなかった。
その主な理由は、戸袋等の雨戸を収容するためのスペースがないまま雨戸を取付けると、開口部の採光性が犠牲になること等からであった。
【０００３】
【発明が解決しようとする課題】
しかしながら、二重サッシを取付けた開口部においても、次のような不都合が残っている。
開口部から入射してくる太陽光線に対して、ガラス障子の内側にカーテン、ブラインド等を吊るすことで内断熱は可能であっても、建物の外側から断熱する外断熱を図ることができないことである。
内断熱の場合の日射侵入率は約４７％であり、一方、外断熱の場合の日射侵入率は約１８％に過ぎないとのデータもあり、内断熱の場合にはその日射侵入率に比例してエアコンの稼働率が上昇し、省エネにマイナスである。
また、ブラインド、カーテンのみでは居住者のプライバシーの保護、防犯性に不充分な場合があることである。
【０００４】
そこで本願では、防風、防雨、防犯の本来の雨戸の機能を保持させつつ、採光性を確保でき、且つ、外断熱を図ることができる雨戸を提供することを目的とする。
【０００５】
【課題を解決するための手段】
上記課題を解決するため、建物の開口部に形成された雨戸枠に、少なくとも２枚の内外雨戸が取付けられた開口部外装装置において、各雨戸の雨戸框には少なくとも１組の複数のスラットが開閉可能に配置されていると共に、前記雨戸枠は、前記内雨戸が可動できる可動領域と、前記外雨戸が可動できる可動領域と、これら両領域間に前記内雨戸のスラットが全開にした状態でも内外雨戸を引違い可能にする引違領域を設け、且つ、前記引違領域の幅は、雨戸框の表面から、内雨戸のスラットが開いたときの先端部分までの距離と略同一か若干の遊びを加えた寸法とし、雨戸のスラットを開いた状態で、雨戸を引違い可能に前記雨戸枠に組付けた開口部外装装置であって、
前記複数のスラットを開閉可能に揺動させる揺動機構は、スライド力を回転力に変換させるねじりバーと、該ねじりバーの一端側に取付けられ、且つ、その回転力が伝達される第１の伝達部材と、該第１の伝達部材に取付けられ、且つ、その回転力が伝達されるバー部材と、前記複数のスラットに対応するように、前記バー部材に所定間隔をおいて取付けられ、且つ、そのバー部材の回転力が伝達される第２の伝達部材とからなると共に、前記ねじりバーは、薄板状の棒材の一端に対する他端の回転角度を所定のねじり角に形成すると共に、前記ねじりバーの両端をそれぞれ回転軸に固定し、これらの回転軸を軸受けに取付けていることを特徴とする開口部外装装置（請求項１に記載の発明）とした。この発明によれば、雨戸のスラットを開いた状態で、雨戸を引違い可能に前記雨戸枠に取付けられるので、内外雨戸のスラットをそれぞれ採光性が高い状態で開放して採光性を確保することができる。よって雨戸の本来の機能である防風、防雨、防犯等の機能を発揮させることができると共に、外断熱及びプライバシーの保護を図ることができる。
【０００６】
上記発明において、前記雨戸の框面を覆う網目部材を取付可能に構成してもよい（請求項２に記載の発明）。
開口部の既設の網戸を取外して、本発明の開口部外装装置を取付けることができる。
【０００７】
上記発明において、前記雨戸枠を前記開口部に後付けして、雨戸を既設建物の開口部に取付けることができる（請求項３に記載の発明）。
【０００８】
上記発明において、前記雨戸枠を前記開口部に一体成形して、雨戸を新築建物の開口部に取付けることができる（請求項４に記載の発明）。
【０００９】
また、請求項１の発明によれば、簡単な操作で、任意の角度でスラットを開閉させることができる。
【００１０】
【発明の実施の形態】
本発明に係る開口部外装装置の実施形態を図面に基づいて説明する。
図１は同雨戸の室外側正面図、図２は同縦断面図、図３は同横断面図である。なお、上記各図及び後述の各図において、略同一の構成は同一の符号を用いて詳細な説明を省略する。
【００１１】
前記開口部外装装置は、建物の開口部Ａに後付けされた雨戸枠Ｂに、１組の複数のスラット２・・・が開閉可能に配置された内外雨戸１、８が、それぞれスラット２を開いた状態であっても引違い可能に組込まれて構成されている。
よって、外雨戸８のスラット２を全開にし、同時に内雨戸１のスラット２を全開にした状態で、内外雨戸１、８を重ねるように位置させることができるので、雨戸１、８を戸袋等に収容するスペースを必要とせずに開口部Ａの採光性を確保することができる。
また、内外雨戸１、８により開口部Ａを閉鎖し、且つ、スラット２を開放して採光性を確保した状態で、外断熱を図り、プライバシー保護を図ることができる。
さらに、内外雨戸１、８により開口部Ａを閉鎖すると共に、内外雨戸１、８のスラット２を開にした状態でも、内外何れかの雨戸１、８を引いて開口部Ａを開放することができるので、火災等の非常の際の脱出にも問題はない。
【００１２】
前記雨戸枠Ｂは、左右縦枠Ｂ１、Ｂ２と上下横枠Ｂ３、Ｂ４から開口枠Ｂ５が形成されていると共に、その開口枠Ｂ５に前記内雨戸１が可動できる可動領域Ｂ６と、前記外雨戸８が可動できる可動領域Ｂ７と、これら両領域Ｂ６、Ｂ７間に前記内雨戸１のスラット２が全開にした状態でも内外雨戸１、８を引違い可能にする引違領域Ｂ８を設けている。
【００１３】
前記両可動領域Ｂ６、Ｂ７の上部の上枠Ｂ３には、それぞれ下開きコ字状部Ｂ３０が形成され、同下部の下枠Ｂ４には、それぞれレール部Ｂ８０が形成され、内外雨戸１、８が走行可能なように形成されている。
また前記上枠Ｂ３には、後述する内雨戸１の防虫ヒレ１２３と協働して、虫の侵入を防止する防虫枠Ｂ８１が取付けられ、一方、前記下枠Ｂ４には、前記レール部Ｂ８０に挟まれて凸部Ｂ８２が形成されている。
前記引違領域Ｂ８の幅Ｗは、前記内雨戸１のスラット２が開いたときの最大幅Ｗ１と略同一か若干の遊びを加えた寸法であればよい。よって内雨戸１のスラット２の開放時の幅Ｗ２を納めることができるように、その内雨戸１の雨戸框を成形した場合には、前記引違領域はＢ８は不用となる。
なお、「Ｂ９」で示すものはモヘヤ、「Ｂ１０」で示すものはガラス障子である。
この実施形態では、２枚のガラス障子の室外側に前記開口部外装装置を取付けているが、４枚のガラス障子からなる２重サッシの室外側に前記開口部外装装置を取付けてもよい。
【００１４】
次に、図２及び図３に基づいて前記内雨戸１の構成例を説明する。
この内雨戸１は、上下框１０，１１、左右竪框１２，１３から雨戸框を形成し、その框面に沿って複数枚のスラット２をそれぞれ水平方向に配列すると共に、前記下框１１の上方に配置した桟状部１４に揺動機構（後述）を操作する操作スライダー１５を臨ませ、且つ、前記框面を覆う網目部材１７を取付けて構成されている。
そして、前記操作スライダー１５が、図３の面上左右方向にスライドされると、前記各スラット２、２、２・・・が揺動し、開閉するようになっている。
【００１５】
前記上框１０は、前記上枠Ｂ３の下開きコ字状部Ｂ３０に沿ってスライド自在に組付けられ、一方、下框１１には戸車１１０が取付けられ前記レール部Ｂ８０を走行できるようになっている。
前記竪框１２，１３が前記雨戸枠Ｂの縦枠Ｂ１、Ｂ２に当接する部分には、緩衝材１２０，１３０が取付けられ、竪框１２，１３の中空部１２１，１３１には前記揺動機構の一部が収容されている。
また図３に示したように、前記竪框１２、１３の室内側には、遮光片１２２、１３２が形成されている。これは、前記左右の竪框１２、１３に揺動開閉可能なスラット２を取付ける場合、スラット両端に僅かな間隙が形成されてしまい、外部からの光、室内側からの光が漏れることになることから、これを防ぐためである。
【００１６】
前記竪框１２には、前記雨戸枠Ｂの防虫枠Ｂ８１に接する位置から、同雨戸枠Ｂの凸部Ｂ８２に接する位置までの縦寸法を備え、前記引違領域Ｂ８の幅Ｗに略一致した横寸法を備えている防虫ヒレ１２３が形成されている。
なお、「１２４」「１３４」は竪框１２、１３に設けられている手掛け部である。
【００１７】
前記桟状部１４は、前記揺動機構の一部が組込まれるもので、上述のように操作スライダー１５を室内側に臨ませていると共に、上部に網目部材１７を取付けるための取付片１４０を形成している。
【００１８】
前記網目部材１７は、金属糸或いは合成樹脂糸、例えばポリエステル樹脂等の糸で編成してなるもので、上下左右の各隅が、前記左右竪框１２，１３の遮光片１２２、１３２、上框１０及び前記桟状部１４の取付片１４０に設けられた各アタッチメント溝１７０に棒部材１９を介して取付けられている。
前記棒部材１９は、断面形状が円形であって、弾力性がある合成樹脂で、且つ、中空状に成形され、取付け、取外しが容易なように形成されている。一方、前記溝１７０には、前記棒部材１９の「抜け」を防ぐ突起１７１が成形されている。
よって、前記棒部材１９を前記各アタッチメント溝１７０から離脱させることにより、網目部材１７を取外すことができ、網目部材１７のみ洗浄も可能であり、また虫が発生しない季節に取外すこともできる。
【００１９】
次に、前記揺動機構の構成例を図４Ｂ〜図８に基づいて説明する。
前記揺動機構は、図４Ｂ及び図５に示したように、前記操作スライダー１５のスライド力を回転力に変換させるねじりバー３と、その回転力をバー部材４に伝達する第１の伝達部材５と、そのバー部材４の回転力を各スラット２に伝達する第２の伝達部材６からなっている。
【００２０】
前記操作スライダー１５は、摘み片１５０とスライダー本体１５１からなり、そのスライダー本体１５１が、前記桟状部１４に設けられたスライド枠１４２（図４Ｂ）に沿って直線的に滑動できるように配置されている。
【００２１】
前記スライダー本体１５１の構成例を、図６に基づいて説明する。
スライダー本体１５１は、本体部１５１ａと、蓋体部１５１ｂと、本体部１５１ａと蓋体部１５１ｂを組立てるカシメ部１５１ｃからなっており、このカシメ部１５１ｃに前記摘み片１５０が固定されている。前記本体部１５１ａには、２列の孔１５１ｄ、１５１ｄが設けられており、各孔１５１ｄにスプリング１５１ｅ、ボール１５１ｆが嵌めこまれている。前記本体部１５１ａと蓋体部１５１ｂには、ねじり状の孔１５２が設けられているが、この孔１５２に形成されているクリアランスが、前記スプリング１５１ｅにより前記蓋体部１５１ｂに向かって付勢されるボール１５１ｆによって調整される。よって前記スライダー本体１５１に「ガタツキ」が生じることなく、スムーズにスライドさせることができる。
【００２２】
より詳細に「ガタツキ防止手段」を取付けた理由及び作用を図７に基づいて説明する。
前記ねじり状の孔１５２をねじりバー３の「ねじれ」にそって忠実に形成すると、操作スライダー１５を操作する際に、「ガタ」が生じる。また全てのねじりバー３に全く同一の「ねじれ」を形成させることは困難である。
よって、前記ねじり状の孔１５２にはねじりバー３のためにクリアランス（遊び）が必要になる。この場合に、このクリアランスを調整し、快適なスライド操作を実現するものが「ガタツキ防止手段」である。
【００２３】
図７に示したように、前記スプリング１５１ｅにより前記蓋体部１５１ｂに向かって付勢されるボール１５１ｆがねじりバー３に当接すると共に、操作スライダー１５のスライドにより回転する。その結果、前記ねじりバー３に作用するクリアランスＣが、適度に調整されることになり、前記スライダー本体１５１に「ガタ」が生じることなく、スムーズにスライドさせることができる。なお、前記スライダー本体１５１は、スライド枠１４２に沿って直線的に滑動できるような形状であればどのようなものでもよく、前記スイラダー１５の摘み片１５０の形状も同様に、どのようなものでもよい。
【００２４】
前記ねじりバー３は、薄板状の棒材を所定のねじれ角によって変形させたもので、前記操作スライダー１５の滑動方向に応じて、正転或いは逆転するようになっている。前記ねじりバー３のねじれ角の大きさ、即ち、そのねじれ角によって形成されるねじりバー３の一端３０に対する他端３１の回転角度は、操作者が前記操作スライダー１５を軽くスライドできて、好みの開閉角度を楽しむことができ、さらに各スラット２の開閉角度の微調整が可能なように成形すればよい。例えば、図８に示したように、前記ねじりバー３の一端３０から他端３１までの長さＬに対し、他端の回転角度は約２１０度のように成形してもよい。同じ寸法Ｌにおいて、回転角度を大きく設定すればするほど、スラット２の開閉角度を大きくすることができるが、大きなスライド力を付与しなければならず操作性は重くなる。一方、回転角度を小さく設定すればするほど、スラット２の開閉角度が小さくなり、操作性が軽くなる。また、同じ回転角度において、ねじりバー３の取付長さを調整することにより、スライドバー１５のスライド幅に応じてスラット２の開閉角度を調整することができる。
【００２５】
この実施形態では、前記ねじりバー３の取付長さは、各スラット２を約９０度の範囲で開閉できるように設定され、ねじりバー３の両端３０、３１が回転軸３２，３２に固定されると共に、これらの回転軸３２，３２がそれぞれ前記スライド枠１４２に固定された軸受３３、３３に取付けられている。
【００２６】
前記回転軸３２は、図５に図示されているように、前記ねじりバー３の端部を固定する固定円柱部３２０と、この固定円柱部３２０より縮径された回転部３２１とからなる。この回転部３２１には、前記第１の伝達部材５の一端を固定する４角孔３２２が形成されている。これら固定円柱部３２０と回転部３２１間に形成された段差３２３が前記軸受３３の側面に当接することにより、前記ねじりバー３が変位することなく空転し、回転力のみが前記第１の伝達部材５に伝達されるようになっている。なお、前記ねじりバー３と第１の伝達部材５間に前記回転軸３２を介在させることにより、ねじりバー３の円滑な回転を図ると共に、ねじれ角の異なるねじりバー３の交換も容易となる。前記回転軸３２の回転部３２１は、前記竪框１２に設けられた孔（図示せず）から、その竪框１２の中空部１２１（図３参照）に突出され、前記第１の伝達部材５の一端５０に連結されている。
【００２７】
前記第１の伝達部材５は、竪框１２の中空部１２１に収容され、図５等に示したように、その一端５０がねじりバー３及び回転軸３２と略同一軸上に配置され、前記回転軸３２の四角孔３２２に固定されている。そして前記一端５０を中心にして、他端５１が前記ねじりバー３の回転に応じて回転する。この第１の伝達部材５は、略小判状に形成されているが、前記一端５０に相当する回転中心部と前記他端５１に相当する回転部を備えていれば、どのような形状でもよい。
【００２８】
前記第１の伝達部材５の他端５１は、前記竪框１２の中空部１２１に沿って配置されているバー部材４の孔４０に空転可能に取付けられている。前記バー部材４は、前記第１の伝達部材５からの回転に同調させて各スラット２を回転させるもので、各スラット２の配置間隔に応じた孔４１が設けられている（図５参照）。
一方、前記バー部材４の孔４１に対応するように、前記第１の伝達部材５と略同一の形状に成形された第２の伝達部材６の一端６０が、後述のスラットホルダ７を介して前記竪枠１２内に回転可能に配置されている（図５等参照）。この第２の伝達部材６の他端６１は、前記バー部材４の前記各孔４１に空転可能に配置されており、第２の伝達部材６は、その一端６０を中心にして前記第１の伝達部材５と同調して回転する。
【００２９】
前記スラットホルダ７は、図５等に示したように、前記竪框１２の中空部１２１内に臨む回転軸７０と、この回転軸７０に同軸的に固定され、且つ、竪框１２の外側面に当接する鍔部７１と、前記スラット２の側面に埋込まれる楔部７２からなっている。
【００３０】
なお、前記スラット２の他端を回転可能に保持するスラットホルダ７Ａ（図３参照）は、前記竪框１３に取付けられており、前記スラットホルダ７と同様に構成され、その楔部７２が前記スラット２の側面に埋込まれている。
上述のように、前記操作スライダー１５、ねじりバー３、バー部材４、第１の伝達部材５及び第２の伝達部材６は、前記竪框１２側に取付けられているが、竪框１３側に取付けても良い。
【００３１】
次に、前記スラット２の構成例を説明する。
スラット２は、図５等に示したように、前記スラットホルダ７の楔部７２を取付ける取付部２０を設けた中空部２１と、この中空部２１の下部から下方に延出された板状部２２からなり、例えばアルミニウム等の金属材料の押出成形によって形成されている。
このスラット２の主な特徴的な点は、スラット２を略水平位置まで回動させた場合、その上部が竪框１２、１３の遮光片１２２、１３２（図３参照）と干渉しないような寸法に形成されていること、前記スラットホルダ７の回転軸７０の位置とスラット２の重心が略一致するように、その形状に工夫を加えたこと、及び前記中空部２１の上部室外側に消音部材２３を取付けたことである。
【００３２】
前記遮光片１２２、１３２と前記スラット上部との干渉を避けるため、スラット２の中空部２１の寸法が、スラット２の回転中心（前記第２の伝達部材６の一端６０、スラットホルダ７の回転軸７０）から遮光片１２２、１３２までの距離に比べ、短くなるように形成した。この場合に、スラット２の重心が前記板状部２２側に偏ると、スラット２の回転が重くなり、快適な操作性を害するおそれがある。
そこで、前記スラット２の中空部２１の内、前記回転中心から遮光片寄りの部分を肉厚、且つ、若干傾斜状に成型し、その重心が前記板状部２２側に偏らないようにしている。その結果、前記スラットホルダ７の回転軸７０の位置とスラット２の重心が略一致し、操作性が向上している。
【００３３】
前記消音部材２３は、例えば塩化ビニールからなるもので、各スラット２を閉じた際に、上下のスラットが当たるときに発生する音を消音すると共に、雨仕舞の機能も発揮する。
【００３４】
前記外雨戸８が、前記内雨戸１と異なる点は前記防虫ヒレ１２３が形成されていない点である。その他の構成は、前記内雨戸１と略同一に構成されており、内雨戸１と略同一の作用効果を奏する。
【００３５】
次に、内外雨戸１、８をロックする雨戸ロック９について説明する。
雨戸ロック９は、図４Ａに図示したように、前記内雨戸１の防虫ヒレ１２３に形成されたクレセント用ヒレ９０にクレセント本体９１を回動自在に取付け、前記外雨戸８の竪框１３の室内側にクレセント受け９２を固定し、クレセント本体９１のハンドル９１０を室内側に倒すと「開」となり、室外側に起すと「閉」となるように構成されている。
【００３６】
上記のように構成された雨戸１、８を組込んだ雨戸枠Ｂは、図１及び図２に示したように、左右縦枠Ｂ１、Ｂ２及び上下横枠Ｂ３、Ｂ４に形成された取付ヒレＢ１１と、雨戸枠Ｂとは別部材の取付片Ｂ１２で、開口部としてのサッシ枠Ｃの網戸枠等を挟込んで、ホルト及びナット等の緊結手段によりサッシ枠Ｃに固定されている。また前記下枠Ｂ４の前記凸部Ｂ８２の裏側が、前記サッシ枠Ｃに置かれた支持装置Ｃ１により支持されている。
よって、前記サッシ枠Ｃに前記雨戸枠Ｂを後付け固定する場合に、建物躯体側のサッシ枠Ｃを傷つけることはない。
【００３７】
次に、上記のように構成された雨戸１、８の使用例を、図９（ａ）〜（ｃ）及び図１０に基づいて説明する。
図９（ａ）及び（ｂ）は各スラット２が閉じた状態の要部断面図、同図（ｃ）は各スラット２を略４５度に開いた状態の要部断面図を示している。図１０は内外雨戸１、８の各スラット２が略９０度に開いた状態を並べて示した要部断面図である。
前記スラット２が図９（ａ）及び（ｂ）に示した閉鎖状態にあるときは、前記操作スライダー１５は同図に示した右端の位置にある。
この位置から前記操作スライダー１５を図面上、左方向にスライドさせると、そのスライド力は、ねじりバー３、回転軸３２、第１の伝達部材５、バー部材４、第２の伝達部材６、スラットホルダ７を介してスラット２に伝達され、各スラット２が前記操作スライダー１５のスライド幅に応じた角度で開放される。
【００３８】
図９（ｃ）のように、前記操作スライダー１５を中間位置まで移動させると、前記スラット２が半開される。
【００３９】
図１０のように、さらに左端まで前記操作スライダー１５をスライドさせると、スラット２が全開となる。
この時、同図のように内外雨戸１、８を重ねて配置した場合の採光量は、該雨戸がない場合の約７０〜８０％を確保できるようになっており、また、内外雨戸１、８を重ねて配置可能になっているので、開口部Ａの半分が開放されて、採光性は十分である。
なお、各スラット２を閉じるときには、前記操作スライダー１５を右側にスライドさせればよい。
【００４０】
以上のような開口部外装装置によれば、第１に、採光量が確保されるので、内外雨戸１、８を開口部Ａに配置したままでよく、戸袋等を必要としないし、そのためのスペースを考慮する必要がない。
第２に、内雨戸１のスラット２が全開状態でも、内外雨戸１、８を引違いに重ねて配置可能になっているので、スラット２の開閉状態の如何に拘わらず、開口部Ａを開放でき、人の出入りや非常時にも問題はない。
第３に、高層マンション等の高層部の開口部Ａにこの内外雨戸１、８を設置することにより、居住者が窓から受ける高所感を和らげることができる。
第４に、前記操作スライダー１５を左右にスライドさせることで、各スラット２の開閉を行うので、開閉操作が極めて容易であり、各スラット２を閉鎖して防風、防雨、防寒、防音を図ることができ、さらに開閉角度を調整することにより、外断熱を図り、プライバシーの保護を図ることができる。特に、前記各スラット２が図９（ｃ）のように約４５度に開放されると、断熱、通風及び採光を同時に実現させることができる。
第５に、前記雨戸框に取付けられた網目部材１７により、前記開放開口Ｏから室内側への虫等の侵入を防ぐことができる。
第６に、前記網目部材１７を着脱自在に構成することにより、網目部材の洗浄、交換、虫が発生しない冬季での取外し保管もできる。
第７に、前記ねじりバー３のねじれ角を小さくすることにより、小さな力でスライドさせることができ、また各スラット２を略９０度の範囲で、好きな角度で固定することができる。この場合、各スラット２の開閉角度を大きくしたいときには、より大きなねじれ角のねじりバーに交換すれば良い。
第８に、ねじりバー３にはねじれ角が存在するので、スラット２を動かしても、操作スライダー１５はスライドし難く、防犯性に優れており、またねじりバー３は、その製造コストを安価に押さえることができる。
第９に、ねじりバー３のねじれ方向を逆転させて（反時計回り）成形することにより、前記操作スライダー１５が図２５（ａ）及び（ｂ）に示した位置にあるときに、前記スラット２を開放状態にすることができる。
第１０に、前記左右の竪框１２，１３に遮光片１２２，１３２が形成されているので、この点からもプライバシー保護や防犯性に優れている。
【００４１】
なお、前記回転軸３２の回転方向を直交させる部材を、その回転軸３２と第１の伝達部材５間に介在させることにより、前記操作スライダー１５、前記ねじりバー３及び前記回転軸３２を竪框側に配置することもできる。また、前記実施形態においては、前記雨戸框内の略全面にスラットを配置していたが、雨戸框内の上部、中部或いは下部など、所定の領域に限定し、これらのスラットを揺動させる揺動機構を設けてもよい。また、雨戸框の室内側の端部側に操作スライダー１５０,１５０をまとめて配置してもよい。そうすれば、建物開口の窓ガラス戸等を少し開けることにより、操作スライダーの摘み片１５０を操作することができる。さらに、図１１に示したように、操作スライダーの摘み片１５０を室内側に臨ませてもよい。
【００４２】
次に、第２実施形態に係る雨戸の実施形態を図１２に基づいて説明する。
上述の通り、第１実施形態では、図示しない網戸を取外した前記サッシ枠Ｃの網戸枠等を、雨戸枠Ｂの取付ヒレＢ１１と取付片Ｂ１２で挟込んで、ホルト及びナット等によりサッシ枠Ｃに固定していたが、第２実施形態の場合には、取付片Ｂ１２と前記サッシ枠Ｃの網戸枠と雨戸枠Ｂとを、ホルト及びナット等により緊結するようにしてもよい。
この実施形態では、取付施工がより容易になる。その他の構成は、第１実施形態と同様であり、同一の作用効果を奏する。
【００４３】
次に、第３実施形態に係る雨戸の実施形態を説明する。
この第３実施形態の開口部外装装置の特徴は、図１３、１４に示したように雨戸枠Ｂをサッシ枠Ｃ等の開口部ではなく、取付片Ｂ１３を介して躯体側に固定して点と、各内外雨戸１、８に、それぞれ中框１４Ａを設け、上下にそれぞれスラット２を配置して、各スラット２を前記揺動機構と同様に構成された第１、第２の揺動機構により作動させた点である。その他の構成は、第１実施形態と同様であり、同一の作用効果を奏する。
【００４４】
次に、図１５に基づき、第４実施形態について説明する。
この第４実施形態の開口部外装装置の特徴は、サッシ枠Ｃと雨戸枠Ｂを一体化して、新築建物用に構成した点である。その他の構成は、第１実施形態と同様であり、同一の作用効果を奏する。
【００４５】
上記各実施形態の雨戸の網目部材１７に代えて、ロール式網戸を取付けてもよい。
【００４６】
【発明の効果】
請求項１に記載の発明によれば、雨戸のスラットを開いた状態で、雨戸を引違い可能に前記雨戸枠に取付けられるので、内外雨戸のスラットをそれぞれ採光性が高い状態で開放して採光性を確保することができる。よって雨戸の本来の機能である防風、防雨、防犯等の機能を発揮させることができると共に、外断熱及びプライバシーの保護を図ることができる。
【００４７】
請求項２に記載の発明によれば、開口部の既設の網戸を取外して、本発明の開口部外装装置を取付けることができる。
【００４８】
請求項３に記載の発明によれば、前記雨戸枠を前記開口部に後付けして、雨戸を既設建物の開口部に取付けることができる。
また、請求項４に記載の発明によれば、前記雨戸枠を前記開口部に一体成形して、雨戸を新築建物の開口部に取付けることができる。
【００４９】
請求項４に記載の発明によれば、簡単な操作で、任意の角度でスラットを開閉させることができる。
【図面の簡単な説明】
【図１】  第１実施形態に係る開口部外装装置の室外側正面図、
【図２】  同装置の縦断面図、
【図３】  同装置の横断面図、
【図４】  （Ａ）揺動機構の要部断面図、（Ｂ）雨戸ロックの側面図、
【図５】  揺動機構の分解斜視図、
【図６】  揺動機構の操作スライダーの分解斜視図、
【図７】  同操作スライダーの動作説明図、
【図８】  揺動機構のねじりバーの正面図、
【図９】  （ａ）〜（ｃ）スラットの動作説明図、
【図１０】  スラットの動作説明図、
【図１１】  別例に係る操作スライダーの分解斜視図、
【図１２】  第２実施形態に係る開口部外装装置の要部縦断面図、
【図１３】  第３実施形態に係る開口部外装装置の要部縦断面図、
【図１４】  同開口部外装装置の正面図、
【図１５】  第４実施形態に係る開口部外装装置の要部縦断面図。
【符号の説明】
Ａ  開口部                          Ｂ  雨戸枠
Ｂ１、Ｂ２  左右縦枠                Ｂ３、Ｂ４  上下横枠
Ｂ５  開口枠                        Ｂ６  可動領域
Ｂ７  可動領域                      Ｂ８  引違領域
Ｂ９  モヘヤ                        Ｂ１０  ガラス障子
Ｂ３０  下開きコ字状部              Ｂ８０  レール部
Ｂ８１  防虫枠                      １２３  防虫ヒレ
Ｂ８２  凸部
１  ８  雨戸                        ２  スラット
３  ねじりバー                      ４  バー部材
５  第１の伝達部材                  ６  第２の伝達部材
７  ７Ａ  スラットホルダ            １０  上框
１１  下框                          １２  竪框
１３  竪框                          １４  １４Ａ  中框
１５  操作スライダー                １７  網目部材
１９  棒部材                        ２０  取付部
２１  中空部                        ２２  板状部
２３  消音部材                      ３０  一端
３１  他端                          ３２  回転軸
３３  軸受                          ４０  ４１  孔
５０  第１の伝達部材の一端          ５１  他端
６０  第２の伝達部材の一端          ６１  他端
７０  回転軸
７１  鍔部                          ７２  楔部
９  雨戸ロック                      ９０  クレセント用ヒレ
９１  クレセント本体                ９２  クレセント受け
９１０  ハンドル
１２０  １３０  緩衝材              １２１，１３１  中空部
１２２  １３２  遮光片              １２３  防虫ヒレ
１４２  スライド枠
１５０  摘み片                      １５１  スライダー本体
１５１ａ  本体部                    １５１ｂ  蓋体部
１５１ｃ  カシメ部
１５１ｄ  孔                        １５１ｅ  スプリング
１５１ｆ  ボール                    １５２  孔
３２０  固定円柱部                  ３２１  回転部
３２２  ４角孔                      ３２３  段差
【図１】
0004167444.tif 000002
【図２】
0004167444.tif 000003
【図３】
0004167444.tif 000004
【図４】
0004167444.tif 000005
【図５】
0004167444.tif 000006
【図６】
0004167444.tif 000007
【図７】
0004167444.tif 000008
【図８】
0004167444.tif 000009
【図９】
0004167444.tif 000010
【図１０】
0004167444.tif 000011
【図１１】
0004167444.tif 000012
【図１２】
0004167444.tif 000013
【図１３】
0004167444.tif 000014
【図１４】
0004167444.tif 000015
【図１５】
0004167444.tif 000016